(57)【要約】【課題】リバースタイプのカード用コネクタにおいて、ＳＤカードのように窪みが形成されたカードに対して適切に制動力を付与することができるカード用コネクタを提供すること。【解決手段】リバースタイプのカード用コネクタ１において、カバー３に設けられた制動片３７の先端側に第一の制動部４１及び第一の制動部４１よりも突出した第二の制動部４２を形成し、カード５１を排出する際に、第二の制動部４２がカード５１の窪み５４に落ち込むことで、第一の制動部４１が窪み５４を形成するカード５１の仕切部５３に摺接される。そして、第一の制動部４１と仕切部５３との接触により第二の制動部４２と窪み５４に配置されたパッド５５との接触が規制される構成とした。【選択図】図４
2011138654.tif 000002
【特許請求の範囲】
【請求項１】
カードの装着空間が形成され、前記装着空間に前記カードの端子が設けられた一面が上向きで装着される筐体と、
前記筐体に設けられ、前記カードの排出時に前記カードの一面に摺接して前記カードに制動力を付与する制動片とを備え、
前記制動片は、第一の制動部と、前記第一の制動部よりも前記筐体から前記装着空間側に突出した第二の制動部とを有し、
挿入方向の前端側に仕切部によって窪みが形成されたカードであって、前記窪みに端子が配置されたカードが前記装着空間から排出される場合に、前記カードの窪みが形成された形成領域に対し排出方向における前方領域では、前記第二の制動部が前記カードの一面に摺接することで前記第一の制動部が前記カードの一面から離間され、前記形成領域では、前記第二の制動部が前記カードの窪みに落ち込むことで前記第一の制動部が前記カードの仕切部に摺接し、前記第一の制動部と前記仕切部との接触により前記第二の制動部と前記窪みに配置された端子との接触が規制されることを特徴とするカード用コネクタ。
【請求項２】
前記窪みが形成されたカードには、複数の仕切部が形成されており、
前記第一の制動部は、前記複数の仕切部に摺接可能に延在することを特徴とする請求項１に記載のカード用コネクタ。
【請求項３】
前記装着空間には、端子が配置される一面が平坦面で形成された他のカードを装着可能であり、
前記第二の制動部は、前記他のカードの排出時に、前記他のカードの一面に配置された端子を避けるように前記筐体に設けられたことを特徴とする請求項１または請求項２に記載のカード用コネクタ。
【請求項４】
前記制動片は、前記第一の制動部を間に挟む一対の前記第二の制動部を有することを特徴とする請求項１から請求項３のいずれかに記載のカード用コネクタ。
【発明の詳細な説明】
【技術分野】
【０００１】
本発明は、カード用コネクタに関し、特に、ＳＤカード等の小型カードに対応したカード用コネクタに関する。
【背景技術】
【０００２】
従来、小型カードに対応したカード用コネクタとして、カードの飛び出し防止構造を備えたものが知られている（例えば、特許文献１参照）。このカード用コネクタは、ハウジングの上面にカバーが装着され、カバーに形成された一対の飛び出し防止用の制動片により、カードの排出時の飛び出しを防止している。一対の制動片は、カバーから下方に切り起されており、カードの上面に摺接して、カードの排出時の飛び出しを抑制している。
【先行技術文献】
【特許文献】
【０００３】
【特許文献１】特開２００１−２９１５５３号公報
【発明の概要】
【発明が解決しようとする課題】
【０００４】
ところで、上記したような従来のカード用コネクタを、カードのパッドが形成された背面を上向きで挿入するリバースタイプに利用することが考えられる。しかしながら、従来のカード用コネクタをリバースタイプに利用した場合には、ＳＤカードのように背面に複数の仕切部によって窪みが設けられ、各窪みにパッドが配置されたカードを、制動片により適切に飛び出しを防止することができないという問題があった。
【０００５】
すなわち、ＳＤカードは、カードの挿入方向における前端側に窪みが形成されているため、カードの排出時に制動片が窪みに落ち込み、制動片とパッドとが接触するおそれがあった。この場合、制動片の撓み量を抑えることで、カード排出時に制動片とパッドとの接触を防止することが考えられるが、制動片の撓み量の減少によりカードに対する十分な制動力を得られなかった。
【０００６】
また、制動片の撓み量ではなく、板厚を厚くすることによりカードに対する制動力を調整する構成も考えられるが、バネ定数は板厚の３乗に比例するため、板厚を厚くした場合には制動片の制動力が強くなりすぎて、カードの厚みのばらつきによっては厚いカードが排出されないおそれがあった。さらに、従来のカード用コネクタでは、制動片がカードの前端側の窪みに落ち込むため、制動片がカードを制動する領域が狭くなっていた。
【０００７】
このように、従来のカード用コネクタをリバースタイプに利用した場合、ＳＤカードのような窪みが形成されたカードに対し、制動片による制動力を適切に付与することが困難となっていた。
【０００８】
本発明はこのような実情に鑑みてなされたものであり、リバースタイプのカード用コネクタにおいて、ＳＤカードのように窪みが形成されたカードに対して適切に制動力を付与することができるカード用コネクタを提供することを目的とする。
【課題を解決するための手段】
【０００９】
本発明のカード用コネクタは、カードの装着空間が形成され、前記装着空間に前記カードの端子が設けられた一面が上向きで装着される筐体と、前記筐体に設けられ、前記カードの排出時に前記カードの一面に摺接して前記カードに制動力を付与する制動片とを備え、前記制動片は、第一の制動部と、前記第一の制動部よりも前記筐体から前記装着空間側に突出した第二の制動部とを有し、挿入方向の前端側に仕切部によって窪みが形成されたカードであって、前記窪みに端子が配置されたカードが前記装着空間から排出される場合に、前記カードの窪みが形成された形成領域に対し排出方向における前方領域では、前記第二の制動部が前記カードの一面に摺接することで前記第一の制動部が前記カードの一面から離間され、前記形成領域では、前記第二の制動部が前記カードの窪みに落ち込むことで前記第一の制動部が前記カードの仕切部に摺接し、前記第一の制動部と前記仕切部との接触により前記第二の制動部と前記窪みに配置された端子との接触が規制されることを特徴とする。
【００１０】
この構成によれば、ＳＤカードのように窪みが設けられたカードであっても、第二の制動部が窪みに落ち込んだ時に、第一の制動部がカードの仕切部に接触されることで、第二の制動部と窪みに配置された端子との接触が規制される。よって、制動片の撓みを大きくしても制動片とカードの端子とが接触しないため、制動片の撓み量によりカードに対する制動力を調整することができる。このため、制動片の板厚によりカードに対する制動力を調整する構成と比較して、容易に制動力を調整することができる。また、第二の制動部がカードの窪みに落ち込んでも、第一の制動部が仕切部に摺接するため、カードに対して制動力が付与される領域が狭まることがない。したがって、ＳＤカードのように窪みが形成されたカードに対して、制動片により適切な制動力を付与することができる。
【００１１】
また本発明は、上記カード用コネクタにおいて、前記窪みが形成されたカードには、複数の仕切部が形成されており、前記第一の制動部は、前記複数の仕切部に摺接可能に延在することを特徴とする。
【００１２】
この構成によれば、第一の制動部がカードに形成された複数の仕切部に摺接するため、第一の制動部によって十分な制動効果を得ることができる。この場合、第一の制動部の仕切部に摺接する面積によってカードに付与される制動力が大きくなるため、荷重によって制動力が調整される構成と比較して、容易に制動力を調整することができる。
【００１３】
また本発明は、上記カード用コネクタにおいて、前記装着空間には、端子が配置される一面が平坦面で形成された他のカードを装着可能であり、前記第二の制動部は、前記他のカードの排出時に、前記他のカードの一面に配置された端子を避けるように前記筐体に設けられたことを特徴とする。
【００１４】
この構成によれば、マルチメディアカード（ＭＭＣ）のように背面に窪みが形成されていない他のカードの排出時には、第二の制動部が他のカードの一面に摺接することで第一の制動部がカードの一面から離間される。このため、第一の制動部が他のカードの端子に当接することがない。このように、カード用コネクタに、ＳＤカードのように背面に窪みが形成されたカード以外にも、マルチメディアカードのように背面に窪みが形成されていない他のカードを装着させることができる。
【００１５】
また本発明は、上記カード用コネクタにおいて、前記制動片は、前記第一の制動部を間に挟む一対の前記第二の制動部を有することを特徴とする。
【００１６】
この構成によれば、カードの排出時に一対の第二の制動部によりカードの２箇所が摺接されるため、カードに安定的に制動力を付与することができる。
【発明の効果】
【００１７】
本発明によれば、リバースタイプのカード用コネクタにおいて、ＳＤカードのように窪みが形成されたカードに対して適切に制動力を付与することができる。
【図面の簡単な説明】
【００１８】
【図１】本発明に係るカード用コネクタの実施の形態を示す図であり、カード用コネクタの斜視図である。
【図２】本発明に係るカード用コネクタの実施の形態を示す図であり、カード用コネクタを背面側からみた分解斜視図である。
【図３】本発明に係るカード用コネクタの実施の形態を示す図であり、制動片の部分拡大図である。
【図４】本発明に係るカード用コネクタの実施の形態を示す図であり、制動片の説明図である。
【図５】本発明に係るカード用コネクタの実施の形態を示す図であり、カード用コネクタによる第一のカードの排出動作の説明図である。
【図６】本発明に係るカード用コネクタの実施の形態を示す図であり、カード用コネクタによる第二のカードの排出動作の説明図である。
【図７】本発明に係るカード用コネクタの実施の形態を示す図であり、カード用コネクタの排出時における排出ストロークと排出力との関係を示す図である。
【図８】本発明に係るカード用コネクタの実施の形態を示す図であり、第一のカードの平面図である。
【図９】本発明に係るカード用コネクタの実施の形態を示す図であり、第二のカードの平面図である。
【発明を実施するための形態】
【００１９】
以下、本発明の実施の形態について添付図面を参照して詳細に説明する。なお、以下においては、本発明を第一のカードおよび第二のカードの２種類のカードを挿入可能としたコンバイン型のカード用コネクタに適用する場合について説明する。しかしながら、本実施の形態に係るカード用コネクタの適用対象については、これに限定されるものではなく適宜変更が可能である。
【００２０】
まず、本発明の実施の形態に係るカード用コネクタについて説明する前に装着対象となる第一のカード及び第二のカードについて説明する。図８は、本発明の実施の形態に係る第一のカードの平面図であり、（ａ）は背面図、（ｂ）は側面図を示している。図９は、本発明の実施の形態に係る第二のカードの平面図であり、（ａ）は背面図、（ｂ）は側面図を示している。
【００２１】
図８（ａ）、（ｂ）に示すように、第一のカード５１は、記憶媒体として用いられるいわゆるＳＤ（Secure  Digital）メモリカードであり、上面視略矩形状に形成されている。また、第一のカード５１は、第二のカード６１の仕様に基づいて構成されており、正面視において下段が第二のカード６１と同一の幅を有する段状に形成されている。第一のカード５１の一の角部には、切り欠かれて約４５度に傾斜した傾斜面５２が形成されている。傾斜面５２は、第一のカード５１の挿入方向を識別するのに用いられ、この傾斜面５２が形成されている側が挿入方向における前端側とされ、逆側が挿入方向における後端側とされる。この傾斜面５２が形成された前端側から挿入されたときのみ、第一のカード５１がカード用コネクタ１に装着される。
【００２２】
第一のカード５１の背面における前端側には、挿入方向に延在する複数の仕切部５３によって、複数の窪み５４が形成されている。各窪み５４には、カード用コネクタ１の複数の接続端子１１に接触する複数のパッド５５が設けられている。また、以下の説明では、第一のカード５１において、複数の窪み５４が形成された領域を形成領域５９とし、形成領域５９に対し排出方向の前方に位置する領域を前方領域５８とする。このように構成された、第一のカード５１は、複数のパッド５５が形成された背面を上向きにした状態で、カード用コネクタ１に装着される。
【００２３】
図９（ａ）、（ｂ）に示すように、第二のカード６１は、第一のカード５１よりも薄く挿入方向に一定の厚みで形成されたいわゆるマルチメディアカード（ＭＭＣ：Multi  Media  Card）であり、上面視略矩形状に形成されている。第二のカード６１の一の角部には、第一のカード５１と同様に切り欠かれて約４５度に傾斜した挿入方向識別用の傾斜面６２が形成されている。また、第二のカード６１の先端側には、カード用コネクタ１の複数の接続端子１１に接触する複数のパッド６３が設けられている。このように構成された、第二のカード６１も、複数のパッド６３が形成された背面を上向きにした状態で、カード用コネクタ１に装着される。
【００２４】
次に、図１及び図２を参照して、カード用コネクタの全体構成について説明する。図１は、本発明の実施の形態に係るカード用コネクタの斜視図である。図２は、本発明の実施の形態に係るカード用コネクタを背面側からみた分解斜視図である。
【００２５】
図１及び図２に示すように、本実施の形態に係るカード用コネクタ１は、合成樹脂製のハウジング２と、ハウジング２に装着された金属製のカバー３とを備え、ハウジング２及びカバー３が組み合わされて挿入口４を有する筐体をなしている。挿入口４は、正面視において第一のカード５１と相補的な形状を有しており、第一のカード５１は挿入口４の段状領域に挿入されると共に、第二のカード６１は挿入口４の下段の矩形領域に挿入される。
【００２６】
ハウジング２は、上面の挿入口４側の略前半部および下面の略全域が開口され、対向する一対の側壁部５、６と上面の略後半部に位置する上壁部７とにより第一、第二のカード５１、６１の挿入空間を形成している。カード用コネクタ１は、ハウジング２に対して後方からカバー３を嵌め込むことで、ハウジング２の開口された下面において、側壁部５、６に沿って下方から第一、第二のカード５１、６１を支持する底壁部分が形成される。
【００２７】
ハウジング２の上壁部７の略中央部分には、複数の接続端子１１が設けられている。上壁部７に設けられた各接続端子１１は、上壁部７の中央部分から奥壁部８に向かって延在している。また、各接続端子１１は、ハウジング２内に埋設された電極パターンを介して、奥壁部８に設けられた複数の外部端子１２に接続される。奥壁部８に設けられた各外部端子１２は、奥壁部８から外部に向かって延在している。
【００２８】
ハウジング２の一の側壁部５には、第一、第二のカード５１、６１の挿入検出用のスイッチ部１３が設けられている。スイッチ部１３は、上方に設けられた固定接点に対して離接可能に支持されており、巻きバネにより固定接点に対して離間方向に付勢されている。スイッチ部１３は、第一、第二のカード５１、６１の挿入により巻きバネの付勢力に抗して押し込まれると、固定接点に接触され、第一、第二のカード５１、６１の挿入を検出する。
【００２９】
ハウジング２の一の側壁部５に対向する他の側壁部６には、側壁部６に沿ってスライド可能なスライド部材１４と、スライド部材１４のスライドに伴って伸縮するコイル状の排出バネ１５とが設けられている。排出バネ１５は、一端が奥壁部８に当接され、他端がスライド部材１４に当接されており、スライド部材１４を排出方向に付勢している。スライド部材１４は、排出バネ１５に付勢された状態で挿入および排出方向にスライド可能に構成されている。
【００３０】
スライド部材１４の後端側には、ハウジング２の中央に向かって突出する傾斜凸部２１が形成されている。傾斜凸部２１は、スライド部材１４の後端に向かって挿入空間の幅方向を狭める傾斜面を有し、この傾斜面は第一、第二のカード５１、６１の傾斜面５２、６２に当接するように約４５度に傾斜している。この傾斜凸部２１の傾斜面によって、第一、第二のカード５１、６１が正挿入時のみ装着位置まで案内されるので、第一、第二のカード５１、６１の誤装着が防止される。
【００３１】
スライド部材１４の前端側の上面には図示しないハートカム溝が形成されており、このハートカム溝と側壁部６の前端側に設けられたラッチピン２２によりスライド部材１４の位置が規定される。ラッチピン２２は、側壁部６に沿って延在し、両端が下方に向かって略直角に屈曲している。ラッチピン２２の一端は、側壁部６の前端側に回動可能に支持され、他端はスライド部材１４のハートカム溝上を摺動される。
【００３２】
ハートカム溝は、複数の段差と傾斜を有して上面視ハート型の環状に形成されており、スライド部材１４のスライドに応じてラッチピン２２の他端を一方向に摺動させる。スライド部材１４が奥壁部８の近傍の装着位置に押し込まれると、ラッチピン２２の他端がハートカム溝の係止部分に係止され、排出バネ１５の付勢によるスライド部材１４の復帰が規制される。この状態からさらにスライド部材１４が押し込まれると、ラッチピン２２とハートカム溝との係止状態が解除されて、排出バネ１５の付勢によりスライド部材１４が復帰される。このように、ラッチピン２２とハートカム溝は、スライド部材１４の装着位置における保持機能を有している。
【００３３】
また、スライド部材１４には、挿入方向に延在する金属性の板バネ２３が設けられており、板バネ２３の板面には挿入された第一、第二のカード５１、６１を内側に付勢する曲げ部２４が形成されている。この曲げ部２４に第一、第二のカード５１、６１が付勢されることで、スライド部材１４が第一、第二のカード５１、６１と一体的にスライドされる。
【００３４】
ハウジング２の側壁部５、６の外側面には、それぞれ前端部に係合部２６が設けられている。各係合部２６は、カバー３の側板部３１の前端側に形成された切欠部３５に係合され、金属製のカバー３との係合により主に側壁部５、６の前端側を補強する。
【００３５】
カバー３は、金属板材を折り曲げて形成され、上板部３２の一側方には、ラッチピン２２を押えるピン押え３６が形成されている。ピン押え３６は、下板部３３側に切り起された片持バネであり、ラッチピン２２の中間部分を下方に押圧してラッチピン２２の他端をハートカム溝に押し付けている。上板部３２の挿入口４側の略前半部には、第一、第二のカード５１、６１の飛び出し防止用の制動片３７が形成されている。
【００３６】
制動片３７は、挿入方向に直交するカバー３の幅方向に延在する片持バネであり、延在方向の両端部において上板部３２に対して下方に僅かに折り曲げられて形成されている。また、制動片３７の先端側には、カバー３の幅方向に延在する第一の制動部４１と、第一の制動部４１を挟んで第一の制動部４１の両側に位置する第二の制動部４２とを有している。制動片３７は、第一、第二の制動部４１、４２により第一、第二のカード５１、６１の背面に適宜接触して、第一、第二のカード５１、６１の排出時の飛び出しを抑制している。
【００３７】
次に、図３及び図４を参照して、カバーに形成された制動片について詳細に説明する。図３は、本発明の実施の形態に係る制動片の部分拡大図である。図４は、本発明の実施の形態に係る制動片の説明図である。
【００３８】
図３に示すように、制動片３７の先端側には、第一の制動部４１よりも第二の制動部４２が下方に突出するように段差Ｌが設けられている。この段差Ｌは、第一、第二の制動部４１、４２を選択的に第一、第二のカード５１、６１に接触させるものであり、第一のカード５１に設けられた窪み５４の深さや第二のカード６１から突出したパッド６３の厚み等を考慮して設計されている。具体的には、段差Ｌは、第二の制動部４２が第一のカード５１の窪み５４に落ち込んだ時に、第二の制動部４２が窪み５４に設けられたパッド５５に接触しない大きさを有している。さらに、段差Ｌは、第二の制動部４２が第二のカード６１の背面６４を摺動する時に、第一の制動部４１が第二のカード６１の背面６４に設けられたパッド６３から退避可能な大きさを有している。
【００３９】
この段差Ｌにより、図４（ａ）に示すように、第一のカード５１の排出開始時には、前方領域５８（図８参照）において、第二の制動部４２が第一のカード５１の背面５６に摺接する。このとき、第一の制動部４１が、段差Ｌ分だけ第一のカード５１の背面５６から離間される。また、図４（ｂ）に示すように、第一のカード５１の排出直前には、形成領域５９（図８参照）において、第二の制動部４２が第一のカード５１の窪み５４に落ち込むことで、第一の制動部４１が第一のカード５１の仕切部５３に摺接する。このとき、第一の制動部４１が仕切部５３に接触することで、第二の制動部４２と窪み５４に配置されたパッド５５との接触が規制される。この構成により、第一のカード５１の排出時に、制動片３７により第一のカード５１のパッド５５が傷付けられることがない。
【００４０】
このように、第一のカード５１は、前方領域５８においては第二の制動部４２により制動され、形成領域５９においては第一の制動部４１により制動される。よって、第一のカード５１のように窪み５４が形成されたカードであっても、排出動作の全過程に亘って第一のカード５１に適切な制動力を付与することが可能となる。また、第一の制動部４１が、第二の制動部４２と第一のカード５１のパッド５５とを離間させる規制部として機能するため、制動片３７の撓み量を大きくしても第二の制動部４２と第一のカード５１のパッド５５とが接触することがない。よって、制動片３７の撓み量により、第一のカード５１に付与される制動力を調整することが可能となる。
【００４１】
さらに、第一の制動部４１は、カバー３の幅方向に延在しており、第一のカード５１の複数の仕切部５３に同時に摺接可能に形成されている。このため、第一の制動部４１は、広い面積で仕切部５３に摺接するため、第一のカード５１に対して十分な制動効果を得ることが可能となる。また、第一の制動部４１は、仕切部５３に摺接する面積によって第一のカード５１に対する制動力が調整されるため、制動力に対する第一のカード５１の厚み方向の寸法誤差による影響が減少される。
【００４２】
一方、図４（ｃ）に示すように、第二のカード６１の排出時には、第二の制動部４２が第二のカード６１の背面６４に摺接し、第一の制動部４１が段差Ｌ分だけ第二のカード６１の背面６４から離間される。このとき、第一の制動部４１が第二のカード６１の背面６４から離間されることで、第一の制動部４１と第二のカード６１の背面６４に配置されたパッド６３との接触が規制される。また、第二の制動部４２は、摺動方向において第二のカード６１のパッド６３を避けるように、制動片３７に形成されている。これらの構成により、第二のカード６１の排出時に、制動片３７により第二のカード６１のパッド６３が傷付けられることがない。
【００４３】
このように、第二のカード６１は、排出動作の全過程に亘って第二の制動部４２により制動される。このため、第二のカード６１に対して一定の制動力を付与することが可能となる。以上のように、制動片３７に段差Ｌを設けたことで、背面５６に窪みが形成された第一のカード５１だけでなく、背面６４が平坦に形成された第二のカード６１に制動力を付与することが可能となっている。
【００４４】
図５及び図６を参照して、カード用コネクタによる第一、第二のカードの排出動作について説明する。図５は、本発明の実施の形態に係るカード用コネクタによる第一のカードの排出動作の説明図である。図６は、本発明の実施の形態に係るカード用コネクタによる第二のカードの排出動作の説明図である。なお、図５及び図６においては、カード用コネクタを排出方向に沿って厚み方向に切断し、説明に関わりのない部分については省略して記載している。
【００４５】
最初に、第一のカード５１の排出動作について説明する。図５（ａ）に示すように、第一のカード５１がカード用コネクタ１に装着された状態では、制動片３７の第二の制動部４２が第一のカード５１の排出方向における略中間部に当接している。この状態から、第一のカード５１の排出動作が開始されると、第一のカード５１の排出方向における略中間部から窪み５４の直前までの前方領域５８において、第二の制動部４２が第一のカード５１の背面５６に摺接する。
【００４６】
次に、図５（ｂ）に示すように、窪み５４が形成された形成領域５９において、第二の制動部４２が窪み５４に落ち込むことで、第一の制動部４１が下動して仕切部５３に摺接される。この第一の制動部４１と仕切部５３との摺接により、第二の制動部４２と第一のカード５１のパッド５５との接触が規制される。そして、第一のカード５１がカード用コネクタ１から排出されるまで、第一の制動部４１が第一のカード５１の仕切部５３に摺接する。このように、第一のカード５１の排出時には、排出動作の過程において、第二の制動部４２から第一の制動部４１に切り替えられて、第一のカード５１が制動される。
【００４７】
続いて、第二のカード６１の排出動作について説明する。図６（ａ）に示すように、第二のカード６１がカード用コネクタ１に装着された状態では、制動片３７の第二の制動部４２が第二のカード６１の排出方向における略中間部に当接している。この状態から、第二のカード６１の排出動作が開始されると、第二のカード６１の排出方向における略中間部から排出方向に、第二の制動部４２が第二のカード６１の背面６４に摺接する。
【００４８】
次に、図６（ｂ）に示すように、第二の制動部４２が第二のカード６１のパッド６３を避けるようにして、第二のカード６１の背面６４に摺接する（図４（ｃ）参照）。この第二の制動部４２と第二のカード６１の背面６４との摺接により、第一の制動部４１が第二のカード６１のパッド６３から退避される。そして、第二のカード６１がカード用コネクタ１から排出されるまで、第二の制動部４２が第二のカード６１の背面６４に摺接する。このように、第二のカード６１の排出時には、排出動作の過程において、第二の制動部４２により第二のカード６１が制動される。
【００４９】
次に、図７を参照して、カード用コネクタの排出時における排出ストロークと排出力との関係について説明する。図７は、本発明の実施の形態に係るカード用コネクタの排出時における排出ストロークと排出力との関係を示す図である。なお、図７において、横軸がカードの排出ストローク、縦軸が排出バネの排出力をそれぞれ示している。また、排出ストロークとは、ラッチピン２２とハートカム溝との係止状態が解除されて、排出バネ１５の付勢によりスライド部材１４が排出方向に移動し、第一、第二のカードがカード用コネクタから排出されるまでの移動量であり、図示右側がカード用コネクタの奥方を示している。
【００５０】
図７に示すように、本実施の形態に係るカード用コネクタにおいては、第一、第二のカード５１、６１がカード用コネクタ１の奥方にある場合に排出力が強くなっている。これは、第一、第二のカード５１、６１の装着時に排出バネ１５の収縮変形が最大となるからである。そして、第一、第二のカード５１、６１がカード用コネクタ１から押し出されるのに比例して排出力が減少される。
【００５１】
カード用コネクタ１は、第一、第二のカード５１、６１が排出される直前で、排出バネ１５の排出力が０となるフリー領域を有するように設計されている。このフリー領域においては、第一、第二のカード５１、６１に対して排出バネ１５による排出力が作用せず、制動片３７による制動力だけが作用する。したがって、このフリー領域において第一、第二のカード５１、６１に十分な制動力が作用することで、カード用コネクタ１からの飛び出しが防止される。
【００５２】
第一のカード５１の排出時には、矢印Ａに示す範囲で第二の制動部４２により第一のカード５１に制動力が付与され、矢印Ｂに示す範囲で第一の制動部４１により第一のカード５１に制動力が付与される。すなわち、第一のカード５１は、フリー領域において第一の制動部４１に制動されることで、カード用コネクタ１からの飛び出しが防止される。一方、第二のカード６１の排出時には、矢印Ｃに示す範囲で第二の制動部４２により第二のカード６１に制動力が付与される。すなわち、第二のカード６１は、フリー領域において第二の制動部４２に制動されることで、カード用コネクタ１からの飛び出しが防止される。
【００５３】
このように、第一、第二のカード５１、６１は、排出バネ１５によって排出力が加わる範囲よりも広い範囲で制動片３７によって制動力が付与される。このため、第一、第二のカード５１、６１のカード用コネクタ１からの飛び出しを効果的に抑制することが可能となる。
【００５４】
以上のように、本実施の形態に係るカード用コネクタ１によれば、ＳＤカードのように窪みが設けられた第一のカード５１であっても、第二の制動部４２が窪み５４に落ち込んだ時に、第一の制動部４１が仕切部５３に接触されることで、第二の制動部４２とパッド５５との接触が規制される。よって、制動片３７の撓み量を大きくしても、制動片３７とパッド５５とが接触しないため、制動片３７の撓み量により第一のカード５１に対する制動力を調整することが可能となる。また、第二の制動部４２が第一のカード５１の窪み５４に落ち込んでも、第一の制動部４１が仕切部５３に摺接するため、制動片３７によって第一のカード５１に対して制動力が付与される領域が狭まることがない。したがって、ＳＤカードのように窪みが形成された第二のカード６１に対して、制動片３７により適切な制動力を付与することができる。
【００５５】
なお、上記した実施の形態においては、本発明をＳＤカード及びマルチメディアカードに対応したカード用コネクタに適用する場合について説明したが、この構成に限定されるものではない。本発明をＳＤカード及びマルチメディアカード以外のカードに対応したカード用コネクタに適用してもよい。
【００５６】
また、上記した実施の形態においては、第一のカードおよび第二のカードの２種類のカードを挿入可能としたコンバイン型のカード用コネクタに適用した場合について説明したが、この構成に限定されるものではない。本発明に係るカード用コネクタを第一のカードのみを挿入可能とした構成としてもよい。
【００５７】
また、上記した実施の形態においては、カバーの上板部に制動片が設けられる構成としたが、この構成に限定されるものではない。制動片は、ハウジングとカバーとからなる筐体に設けられていればよく、例えば、ハウジングの上壁部に設けられる構成としてもよい。この場合、制動片は、筐体と一体に形成されていてもよいし、別体に形成されていてもよい。
【００５８】
また、上記した実施の形態においては、第一の制動部がカバーの幅方向に延在して、複数の仕切部に摺接する構成としたが、この構成に限定されるものではない。第一の制動部は、第二の制動部が第一のカードの窪みに落ち込んだときに、第二の制動部と窪みに配置されたパッドとの接触を規制するものであれば、どのような構成でもよい。
【００５９】
また、上記した実施の形態においては、制動片が片持バネである構成としたが、この構成に限定されるものではない。制動片は、筐体から装着空間側に突出して、カードの排出時にカードの背面に摺接してカードに制動力を付与するものであれば、どのような構成でもよい。
【００６０】
また、上記した実施の形態においては、制動片において一対の第二の制動部の間に第一の制動部が形成される構成としたが、この構成に限定されるものではない。第一、第二の制動部は、窪みが形成されたカードに対して、適切な制動力を付与することができるのであれば、制動片にどのように形成されていてもよい。
【００６１】
また、上記した実施の形態においては、カード用コネクタが排出バネの排出力が０となるフリー領域を有する構成としたが、この構成に限定されるものではない。カード用コネクタは、カードを排出する機構を有するものであれば、どのような構成でもよい。
【００６２】
また、今回開示された実施の形態は、全ての点で例示であってこの実施の形態に制限されるものではない。本発明の範囲は、上記した実施の形態のみの説明ではなくて特許請求の範囲によって示され、特許請求の範囲と均等の意味および範囲内での全ての変更が含まれることが意図される。
【産業上の利用可能性】
【００６３】
以上説明したように、本発明は、リバースタイプのカード用コネクタにおいて、窪みが形成されたカードに対して適切に制動力を付与することができるという効果を有し、特に、ＳＤカード等の小型カードに対応したカード用コネクタに有用である。
【符号の説明】
【００６４】
１  カード用コネクタ
２  ハウジング（筐体）
３  カバー（筐体）
１５  排出バネ
３７  制動片
４１  第一の制動部
４２  第二の制動部
５１  第一のカード（カード）
５３  仕切部
５５  パッド（カードの端子）
５６  背面（カードの一面）
５８  前方領域
５９  形成領域
６１  第二のカード（他のカード）
６３  パッド（他のカードの端子）
６４  背面（他のカードの一面）
【図１】
2011138654.tif 000003
【図２】
2011138654.tif 000004
【図３】
2011138654.tif 000005
【図４】
2011138654.tif 000006
【図５】
2011138654.tif 000007
【図６】
2011138654.tif 000008
【図７】
2011138654.tif 000009
【図８】
2011138654.tif 000010
【図９】
2011138654.tif 000011